(57)【特許請求の範囲】
【請求項１】
センタ側光回線終端装置と光伝送路で接続されて光電気変換及び逆光電気変換を行う電気／光変換部と、
前記電気／光変換部の電気信号端に接続されて終端処理を行う光回線終端装置機能部と、
前記光回線終端装置機能部のパラレル信号端に接続されてシリアル・パラレル変換及び逆シリアル・パラレル変換を行うシリアル／パラレル変換部と、
前記シリアル／パラレル変換部の第１のシリアル信号端に接続される第１のシリアルインタフェース部を有して外部のＬＡＮ機器に接続されるインタフェースモジュールと、を備え、
さらに、前記光回線終端装置機能部と前記インタフェースモジュールがそれぞれ第２のシリアル信号端と第２のシリアルインタフェース部を備えて設定データ伝送手段で接続され、
前記光回線終端装置機能部は、前記電気／光変換部との間で伝送される信号の所定のチャンネルを用いてＬＡＮ機器設定データを取得する設定データ取得手段を有しており、
前記設定データ取得手段で取得された前記ＬＡＮ機器設定データが、前記第２のシリアル信号端から前記設定データ伝送手段及び前記第２のシリアルインタフェース部を介して前記ＬＡＮ機器のデータ設定部に出力される
ことを特徴とする加入者宅側光回線終端装置。
【請求項２】
前記所定のチャンネルは、前記電気／光変換部との間で伝送される信号に割り当てられたＰＯＮプロトコル上の保守用チャンネルであり、前記設定データ取得手段は、前記保守用チャンネルから前記ＬＡＮ機器設定データを取り込むことを特徴とする請求項１に記載の加入者宅側光回線終端装置。
【請求項３】
前記所定のチャンネルは、前記電気／光変換部との間で伝送される信号に割り当てられたＰＯＮプロトコル上の主信号チャンネルであり、
前記設定データ取得手段は、前記主信号チャンネルから前記ＬＡＮ機器設定データを取り込む
ことを特徴とする請求項１に記載の加入者宅側光回線終端装置。
【請求項４】
前記第２のシリアル信号端および前記第２のシリアルインタフェース部はＩ２Ｃ対応の信号端であり、前記設定データ伝送手段はＩ２Ｃ信号線である
ことを特徴とする請求項１乃至３のいずれか１項に記載の加入者宅側光回線終端装置。
【請求項５】
前記第２のシリアル信号端および前記第２のシリアルインタフェース部はＧＰＩＯ対応の信号端であり、前記設定データ伝送手段はＧＰＩＯ信号線である
ことを特徴とする請求項１乃至３のいずれか１項に記載の加入者宅側光回線終端装置。
【発明の詳細な説明】
【技術分野】
【０００１】
本発明は、ＰＯＮ型の光伝送システムにおいて加入者宅に設置される加入者宅側光回線終端装置に関する。
【背景技術】
【０００２】
ＦＴＴＨ、ＣＡＴＶ等の光ネットワークでは、下記の特許文献１に記載されているように、センタに接続される光伝送路を受動型スプリッタにより分岐して複数の加入者宅まで光伝送路を敷設するＰＯＮ(Passive Optical Network)型の光伝送システムが使用されている。このような光伝送システムは、ＰＤＳ(Passive Double Star)とも呼ばれる。
【０００３】
ＰＯＮ型の光伝送システムでは、図６に示すように、センタの光回線終端装置（ＯＬＴ：Optical Line Termination）が光ファイバ９０２を介してスプリッタ９０３の合波端に接続され、スプリッタ９０３の複数の分波端には光ファイバ９０４−１、…９０４−ｎを介して各加入者宅に設置された光回線終端装置（ＯＮＵ：Optical Network Unit）９０５−１、…９０５−ｎが接続される。
【０００４】
ＯＮＵ９０５−１、…９０５−ｎの構成を図７に示す。同図は、一例としてＯＮＵ９０５−１の構成を示しており、ＯＮＵ９０５−１は、光トランシーバ部９０６、ＯＮＵ機能部９０７、及びイーサネット（登録商標）インタフェース９０８を備える構成となっている。スプリッタ９０３に接続された光ファイバ９０４−１が、各加入者宅に設けられた光成端ユニット９０９を介して光トランシーバ部９０６に接続されている。
【０００５】
イーサネット（登録商標）インタフェース９０８として、１０／１００／１０００ＢＡＳＥ−ＴＸ等を用いることができ、これに例えばＬＡＮケーブル９１０が接続される。ＬＡＮケーブル９１０には、コンピュータやプリンタ等の端末機器９１４を直接接続することができ、またルータ９１２やスイッチングハブ９１３等のスイッチを接続し、これに別の端末機器９１４を接続することもできる。
【特許文献１】特開平９−２１４５４１号公報
【発明の開示】
【発明が解決しようとする課題】
【０００６】
加入者宅側のＯＮＵに接続されるスイッチ等のＬＡＮ機器は、ＬＡＮの構成等に応じて各種設定が必要になることがあるが、従来よりＬＡＮ機器への設定は各加入者が個別に行っている。ＬＡＮ機器には、各種設定値を入力するためのインタフェースが設けられており、このインタフェースにパーソナルコンピュータ等を接続して設定値を入力できるように構成されている。
【０００７】
ＰＯＮ型の光伝送システムでは、センタ側からＯＮＵを介して接続されたＬＡＮ機器に対し、その設定値を変更する必要が生じる場合がある。この場合、従来はＬＡＮ機器の設定値をセンタ側から直接入力する手段がなかったため、ＬＡＮ機器の設定値の変更要求を加入者に通知し、加入者がＬＡＮ機器の設定値変更を行うといった間接的な方法がとられていた。そのため、ＬＡＮ機器の設定値の変更に時間がかかるだけでなく、入力ミス等のおそれがあって信頼性が劣っていた。
さらに、一般的なＯＮＵでは、ＬＡＮ機器とのインタフェースはイーサネット（登録商標）ケーブルのみであるため、主信号回線以外による各種設定値の変更等を行う手段を提供するインタフェースがないという問題があった。
【０００８】
そこで、本発明はこのような問題を解決するためになされたものであり、センタとの間で伝送される通信信号からＬＡＮ機器設定データを取得し、これをＬＡＮ機器に出力することが可能な加入者宅側光回線終端装置を提供することを目的とする。
【課題を解決するための手段】
【０００９】
本発明の加入者宅側光回線終端装置の第１の態様は、センタ側光回線終端装置と光伝送路で接続されて光電気変換及び逆光電気変換を行う電気／光変換部と、前記電気／光変換部の電気信号端に接続されて終端処理を行う光回線終端装置機能部と、前記光回線終端装置機能部のパラレル信号端に接続されてシリアル・パラレル変換及び逆シリアル・パラレル変換を行うシリアル／パラレル変換部と、前記シリアル／パラレル変換部の第１のシリアル信号端に接続される第１のシリアルインタフェース部を有して外部のＬＡＮ機器に接続されるインタフェースモジュールと、を備え、さらに、前記光回線終端装置機能部と前記インタフェースモジュールがそれぞれ第２のシリアル信号端と第２のシリアルインタフェース部を備えて設定データ伝送手段で接続され、前記光回線終端装置機能部は、前記電気／光変換部との間で伝送される通信信号の所定のチャンネルからＬＡＮ機器設定データを取り込む設定データ取得手段を有しており、前記設定データ取得手段で取得された前記ＬＡＮ機器設定データが、前記第２のシリアル信号端から前記設定データ伝送手段及び前記第２のシリアルインタフェース部を介して前記ＬＡＮ機器のデータ設定部に出力されることを特徴とする。
【００１０】
本発明の加入者宅側光回線終端装置の他の態様は、前記所定のチャンネルは、前記通信信号に割り当てられたＰＯＮプロトコル上の保守用チャンネルであり、前記設定データ取得手段は、前記保守用チャンネルから前記ＬＡＮ機器設定データを取り込むことを特徴とする。
【００１１】
本発明の加入者宅側光回線終端装置の他の態様は、前記所定のチャンネルは、前記通信信号に割り当てられたＰＯＮプロトコル上の主信号チャンネルであり、前記設定データ取得手段は、前記主信号チャンネルから前記ＬＡＮ機器設定データを取り込むことを特徴とする。
【００１２】
本発明の加入者宅側光回線終端装置の他の態様は、前記第２のシリアル信号端および前記第２のシリアルインタフェース部はＩ２Ｃ対応の信号端であり、前記設定データ伝送手段はＩ２Ｃ信号線であることを特徴とする。
【００１３】
本発明の加入者宅側光回線終端装置の他の態様は、前記第２のシリアル信号端および前記第２のシリアルインタフェース部はＧＰＩＯ対応の信号端であり、前記設定データ伝送手段はＧＰＩＯ信号線であることを特徴とする。
【発明の効果】
【００１４】
本発明によれば、センタ側との間で伝送される通信信号からＬＡＮ機器設定データを取り出し、これをＬＡＮ機器に出力することが可能な加入者宅側光回線終端装置を提供することができる。これにより、利便性の向上、信頼性の向上を実現させたものである。
【発明を実施するための最良の形態】
【００１５】
（第１の実施形態）
図面を参照して本発明の好ましい実施の形態における加入者宅側光回線終端装置の構成について詳細に説明する。本発明の第１の実施の形態に係る加入者宅側光回線終端装置（ＯＮＵ）の構成を示すブロック図を図１に示す。また、図１に示す本実施形態のＯＮＵ１００を用いて構成されたＰＯＮ型光伝送システムの一例を図２に示す。
【００１６】
図２のＰＯＮ型光伝送システム１において、センタに設けられるＰＯＮインタフェースカード１０には光回線終端装置（ＯＬＴ）１１が備えられており、ＯＬＴ１１の光入出力端に光伝送路である光ファイバ２０の一端が接続されている。また、光カプラ（光合分波部）３０は、１つの合波端と２つ以上の分波端とを有しており、合波端にはＯＬＴ１１に接続された光ファイバ２０の他端が接続されている。
【００１７】
光カプラ３０の分波端には、複数の光ファイバ４０−１、…、４０−ｎ（ｎ：自然数、以下では４０−１〜ｎと記す）のそれぞれの一端が接続され、それぞれの他端にはＯＮＵ５０−１〜ｎが接続されている。このような構成により、ＯＬＴ１１から出力された通信信号が光カプラ３０で分波されてＯＮＵ５０−１〜ｎのそれぞれに伝送される一方、ＯＮＵ５０−１〜ｎのそれぞれから出力された上り信号が光カプラ３０で合波されてＯＬＴ１１に伝送される。
【００１８】
ＯＮＵ５０−１〜ｎは、それぞれが加入者宅毎に設置され、これにパーソナルコンピュータやスイッチ等のＬＡＮ機器７０が接続される。図２では、ＬＡＮ機器７０をスイッチとしており、スイッチに備えられた複数のポート７０ａには複数の端末機器８０が接続されている。ＬＡＮ機器７０に用いられるスイッチには、Ｌ２スイッチ、Ｌ３スイッチ、ルータ等がある。このような構成により、ＯＮＵ１００を介してセンタのＯＬＴ１１に複数の端末機器８０を接続することができる。
【００１９】
ＯＬＴ１１及びＯＮＵ５０−１〜ｎには、ＧＰＯＮ(Gigabit Passive Optical Networkの略称であり、ＩＴＵ規格G.984.xに準拠した方式)、ＧＥＰＯＮ(Gigabit Ethernet（登録商標） PONの略であり、ＩＥＥＥ８０２．３ａｈ規格に準拠した方式)の規定に適合した装置が使用される。
【００２０】
本実施形態のＯＮＵ１００は、図２に示したＯＮＵ５０−１〜ｎに用いることができる。以下では、一例としてＯＮＵ５０−１にＯＮＵ１００が用いられているものとする。本実施形態のＯＮＵ１００は、図１に示すように、電気／光変換部１１０と光回線終端装置機能部（以下ではＯＮＵ機能部と記す）１２０とシリアル／パラレル変換部１３０とインタフェースモジュール（以下、Ｉ／Ｆモジュールという）１４０とを備えている。
【００２１】
電気／光変換部１１０は、センタ側のＯＬＴ１１との間で光ファイバ４０を介して光信号を送受信するための光入出力端１１１を有しており、センタのＯＬＴ１１から送信された光信号（通信信号）を電気信号に変換（光電気変換）している。この電気信号は、第１の電気信号端１１２から通信信号線である第１のシリアル伝送路１５０ａを介してＯＮＵ機能部１２０の第２の電気信号端１２２に出力される。また、ＯＮＵ機能部１２０の第２の電気信号端１２２から上り信号線である第１のシリアル伝送路１５０ｂを介して入力した電気信号を光信号に変換（逆光電気変換）し、この光信号を光入出力端１１１から光ファイバ４０を介してＯＬＴ１１に送信している。
【００２２】
ＯＮＵ機能部１２０は、電気／光変換部１１０から入力した電気信号をパラレル信号に変換し、これを終端処理手段１２１で所定の終端処理を行った後、第１のパラレル信号端１２３から通信信号線であるパラレル伝送路１５１ａを介してシリアル／パラレル変換部１３０の第２のパラレル信号端１３１に出力している。ＯＬＴ１１から出力される通信信号には、ＬＡＮ機器７０に送出するための主信号に加えて、ＯＮＵ１００の保守等に用いられる保守用信号も含まれており、このうち少なくとも主信号をパラレル伝送路１５１ａを介してシリアル／パラレル変換部１３０に出力している。
【００２３】
またＯＮＵ機能部１２０は、シリアル／パラレル変換部１３０の第２のパラレル信号端１３１から上り信号線であるパラレル伝送路１５１ｂを介して入力したパラレル信号を、所定の終端処理を行った後にシリアル信号に変換して第２の電気信号端１２２から電気／光変換部１１０に出力している。パラレル伝送路１５１ａ、１５１ｂを伝送するパラレル信号は、例えば１０ビットの信号とすることができる。
【００２４】
シリアル／パラレル変換部１３０は、図示しないシリアル／パラレル変換手段と逆シリアル／パラレル変換手段を備え、ＯＮＵ機能部１２０から入力したパラレル信号を逆シリアル／パラレル変換手段でシリアル信号に変換し、これを第１のシリアル信号端１３２から通信信号線である第２のシリアル伝送路１５２ａを介してＩ／Ｆモジュール１４０の第１のシリアルインタフェース部（以下、第１のシリアルＩ／Ｆ部という）１４１に出力している。また、第１のシリアルＩ／Ｆ部１４１から第２のシリアル伝送路１５２ｂを介して入力したシリアル信号を、シリアル／パラレル変換手段でパラレル信号に変換して第２のパラレル信号端１３１からＯＮＵ機能部１２０に出力している。
【００２５】
Ｉ／Ｆモジュール１４０は、ＬＡＮ機器７０とシリアルな電気信号で接続するものである。本実施形態のＯＮＵ１００では、Ｉ／Ｆモジュール１４０をＭＳＡ（Multi-Source Agreement）インタフェースの規格に対応させており、ＬＡＮ機器７０に設けられたＭＳＡインタフェーススロット（図示せず）に直接接続することが可能な構成としている。ＭＳＡインタフェースの規格として、ＧＢＩＣ、ＳＦＰ等がある。
【００２６】
Ｉ／Ｆモジュール１４０は、シリアル／パラレル変換部１３０に接続された第１のシリアルＩ／Ｆ部１４１に加えて、第２のシリアルＩ／Ｆ部１４２を備えている。また、ＯＮＵ機能部１２０にも、第１のパラレル信号端１２３とは別に第２のシリアル信号端１２４が備えられており、第２のシリアル信号端１２４と第２のシリアルＩ／Ｆ部１４２との間が信号線路１６１ａ、１６１ｂで接続されている。
【００２７】
ＯＬＴ１１との間で伝送される通信信号は、ＰＯＮプロトコルに基づいて、ＬＡＮ機器７０で用いる主信号を伝送するための複数のチャンネルと、保守用信号を伝送するための別の複数のチャンネルを有している。ＯＮＵ機能部１２０は、これらの複数チャンネルで伝送される通信信号を終端処理手段１２１で終端処理している。終端処理された通信信号のうち、少なくとも主信号がシリアル／パラレル変換部１３０およびＩ／Ｆモジュール１４０の第１のシリアルＩ／Ｆ部を介してＬＡＮ機器７０との間で伝送される。
【００２８】
ＯＮＵ機能部１２０は、さらに設定データ取得手段１６０を備えており、設定データ取得手段１６０は、終端処理手段１２１で終端処理される通信信号の所定のチャンネルを用いてセンタとの間でＬＡＮ機器設定データを取得するための通信を行う。本実施形態では、ＬＡＮ機器設定データを取得するために、保守用信号を伝送する複数のチャンネルのうちあらかじめ指定された１以上のチャンネルを用いて通信する構成としている。設定データ取得手段１６０は、上記のあらかじめ指定されたチャンネルを用いて、例えばＯＬＴ１１との間で仕様確認等を行いながらＬＡＮ機器設定データを取得する。
【００２９】
本実施形態のＯＮＵ１００が、ＬＡＮ機器７０に接続された状態を示す一例を図３に示す。設定データ取得手段１６０は、通信信号の所定のチャンネルを用いて取得したＬＡＮ機器設定データを、ＯＮＵ機能部１２０に設けられた第２のシリアル信号端１２４に出力し、第２のシリアル信号端１２４から信号線路１６１ａ、１６１ｂを経由して第２のシリアルＩ／Ｆ部１４２に送出する。ＬＡＮ機器設定データは、第２のシリアルＩ／Ｆ部１４２からさらにＬＡＮ機器７０のデータ設定部７１に出力される。信号線路１６１ａ、１６１ｂは、ＯＮＵ機能部１２０からＬＡＮ機器７０にＬＡＮ機器設定データを出力する。
【００３０】
設定データ伝送手段である信号線路１６１ａ、１６１ｂには、Ｉ２Ｃ信号線を用いることができる。Ｉ２Ｃ信号線は、シリアルデータ伝送用の信号線とロック伝送用の信号線の２本の信号線で構成されており、それぞれを信号線路１６１ａ、１６１ｂとすることができる。この場合には、第２のシリアル信号端１２４および第２のシリアルＩ／Ｆ部１４２は、ともにＩ２Ｃ対応の信号端で構成される。
【００３１】
本実施形態のＯＮＵ１００は、ＬＡＮ機器設定データを取得するための設定データ取得手段１６０をＯＮＵ機能部１２０に備えるとともに、ＬＡＮ機器設定データをＬＡＮ機器７０に伝送するための設定データ伝送手段を、第２のシリアル信号端１２４と第２のシリアルＩ／Ｆ部１４２、およびその間を接続する信号線路１６１ａ、１６１ｂで構成している。本実施形態の設定データ伝送手段は、Ｉ２Ｃで構成している。これにより、センタのＯＬＴ１１からＯＮＵ１００を介してＬＡＮ機器７０に設定データを伝送して設定することが可能となる。
本発明の加入者宅側光回線終端装置の別の実施形態として、設定データ伝送手段である信号線路をＧＰＩＯ対応の信号線としてもよい。
【００３２】
図４に示すブロック図において、本実施形態のＯＮＵ２００は、ＯＮＵ機能部２２０がシリアル信号端としてＩ２Ｃ信号端２２４のほかにＧＰＩＯ信号端２２５を備えており、ＧＰＩＯ信号端２２５をＬＡＮ機器設定データを出力するための第２のシリアル信号端に用いている。それとともに、第２のシリアルＩ／Ｆ部２４２もＧＰＩＯ対応の信号端としている。そして、第２のシリアル信号端２２５と第２のシリアルＩ／Ｆ部２４２とをＧＰＩＯ対応の信号線路２６１ａ、２６１ｂで接続している。
【００３３】
本実施形態のＯＮＵ２００では、ＬＡＮ機器設定データをＬＡＮ機器７０に伝送するための設定データ伝送手段を、第２のシリアル信号端２２５と第２のシリアルＩ／Ｆ部２４２、およびその間を接続する信号線路２６１ａ、２６１ｂで構成している。第２のシリアル信号端２２５、第２のシリアルＩ／Ｆ部２４２、および信号線路２６１ａ、２６１ｂは、いずれもＧＰＩＯに対応させている。これにより、センタのＯＬＴ１１からＯＮＵ１００を介してＬＡＮ機器７０に設定データを伝送して設定することが可能となる。
【００３４】
本発明のさらに別の実施形態に係る加入者宅側光回線終端装置の構成を示すブロック図を図５に示す。第１の実施形態のＯＮＵ１００、および第２の実施形態のＯＮＵ２００では、ＬＡＮ機器設定データを保守用信号を伝送するチャンネルを用いて伝送していたが、本実施形態のＯＮＵ３００では、主信号を伝送する複数のチャンネルのいずれかを用いて伝送する構成としている。
【００３５】
これに対応して、本実施形態の設定データ取得手段３６０は、終端処理手段１２１で終端処理された主信号の複数のチャンネルのうち、あらかじめ指定された１以上のチャンネルを用いてＬＡＮ機器設定データを取得するための処理を行う。センタとの通信により設定データ取得手段３６０が取得したＬＡＮ機器設定データは、ＯＮＵ機能部３２０に備えられた第２のシリアル信号端３２４から信号線路３６１ａ、３６１ｂを経由して第２のシリアルＩ／Ｆ部３４２に伝送され、さらにＬＡＮ機器７０に出力される。設定データ伝送手段である信号線路３６１ａ、３６１ｂは、Ｉ２Ｃ対応の信号線、またはＧＰＩＯ対応の信号線のいずれかとすることができる。
【００３６】
本実施形態のＯＮＵ３００でも、ＬＡＮ機器設定データを取得するための設定データ取得手段３６０をＯＮＵ機能部３２０に備え、設定データ取得手段３６０が主信号を伝送する複数のチャンネルの所定のチャンネルを用いてセンタとの間で通信を行い、その結果取得したＬＡＮ機器設定データを設定データ伝送手段の信号線路３６１ａ、３６１ｂを経由してＬＡＮ機器７０に伝送することが可能となっている。
【００３７】
なお、本実施の形態における記述は、本発明に係る加入者宅側光回線終端装置の一例を示すものであり、これに限定されるものではない。本実施の形態における加入者宅側光回線終端装置の細部構成及び詳細な動作等に関しては、本発明の趣旨を逸脱しない範囲で適宜変更可能である。
【図面の簡単な説明】
【００３８】
【図１】本発明の第１の実施形態に係る加入者宅側光回線終端装置の概略構成を示すブロック図である。
【図２】本実施形態の加入者宅側光回線終端装置が用いられたＰＯＮ型光伝送システムの一例を示す構成図である。
【図３】本実施形態の加入者宅側光回線終端装置をＬＡＮ機器に接続した状態を示すブロック図である。
【図４】本発明の別の実施形態に係る加入者宅側光回線終端装置の概略構成を示すブロック図である。
【図５】本発明のさらに別の実施形態に係る加入者宅側光回線終端装置の概略構成を示すブロック図である。
【図６】従来の光伝送システムの加入者宅側光回線終端装置の概略構成を示すブロック図である。
【図７】従来の光伝送システムを示す構成図である。
【符号の説明】
【００３９】
１        光伝送システム
１０      ＰＯＮインタフェースカード
１１、９０１    ＯＬＴ２０、４０、９０２、９０４    光ファイバ
３０、９０３    光カプラ
５０      ＯＮＵ
７０      ＬＡＮ機器
８０、９１４    端末機器
１００、２００、３００、９０５    加入者宅側光回線終端装置
１１０    電気／光変換部
１１１    光入出力端
１１２    第１の電気信号端
１２０、２２０、３２０、９０７    ＯＮＵ機能部
１２１    終端処理手段
１２２    第２の電気信号端
１２３    第１のパラレル信号端
１２４、３２４    第２のシリアル信号端
１３０    シリアル／パラレル変換部
１３１    第２のパラレル信号端
１３２    第１のシリアル信号端
１４０、２４０    インタフェースモジュール
１４１    第１のシリアルＩ／Ｆ部
１４２、２４２、３４２    第２のシリアルＩ／Ｆ部
１５０ａ、１５０ｂ    第１のシリアル伝送路
１５１ａ、１５１ｂ    パラレル伝送路
１５２ａ、１５２ｂ    第２のシリアル伝送路
１６０、３６０    設定データ取得手段
１６１ａ、１６１ｂ、２６１ａ、２６１ｂ、３６１ａ、３６１ｂ    信号線路
２２４    Ｉ２Ｃ信号端
２２５    ＧＰＩＯ信号端
【図１】
0004477680.tif 000002
【図２】
0004477680.tif 000003
【図３】
0004477680.tif 000004
【図４】
0004477680.tif 000005
【図５】
0004477680.tif 000006
【図６】
0004477680.tif 000007
【図７】
0004477680.tif 000008